(57)【要約】      （修正有）【課題】容易に着脱できかつ使用中の脱落を防止できる楽器用ストラップを提供する。【解決手段】ストラップは、ストラップベルト１０の両端のストラップエンド部１１とストラップエンド部の上面に固定された平板状のフラップ３０とを備え、ストラップエンド部は、ギター本体２０のボタン２１を通すボタン穴１２およびボタン穴スリット１３を有し、フラップ３０は、同様にボタン２１を通すフラップボタン穴３１およびフラップボタン穴スリット３２、ならびにフラップをストラップエンド部に固定する固着部３３を有する。ストラップエンド部とフラップをボタンに結合させることにより演奏者がギター本体を支持できる。【選択図】図１
0003187179.tif 000002
【実用新案登録請求の範囲】
【請求項１】
帯状のストラップベルトの両端を楽器に結合させて該楽器を支持する楽器用ストラップであって、
ストラップベルトの両端各々に設けられた、折り曲げ可能な柔軟性を有する平板状のストラップエンド部と、
前記ストラップエンド部各々に設けられた、折り曲げ可能な柔軟性を有する平板状のフラップとを備え、
前記ストラップエンド部は、
楽器に備えられたストラップ固定用のボタンを通す第１の開口部であるボタン穴と、
前記ボタン穴から前記ストラップベルトとの接着辺の方向に向かう第１の切り込みであるボタン穴スリットとを有するストラップエンド部とを有し、
前記フラップは、
前記ボタンを通す第２の開口部であるフラップボタン穴と、
前記フラップボタン穴から前記ボタン穴スリットと反対方向に向かう第２の切り込みであるフラップボタン穴スリットと、
前記ストラップエンド部の上部かつ前記フラップボタン穴が前記ボタン穴と同位置となるように重ねられた状態で、前記ストラップベルトと前記ストラップエンド部とが接着する側の一辺で固定されている固着部とを有する
ことを特徴とする楽器用ストラップ。
【請求項２】
前記ストラップエンド部および前記フラップが、皮革素材により形成される
ことを特徴とする請求項１に記載の楽器用ストラップ。
【請求項３】
前記フラップの厚みが、前記ストラップエンド部の厚みより薄い
ことを特徴とする請求項１または請求項２に記載の楽器用ストラップ。
【請求項４】
前記固着部に代えて、前記ストラップエンド部が、前記フラップを挿入させる切り込みであるフラップスリット部を備え、前記フラップが、前記フラップスリット部の切り込み幅以上の幅を有する部分である留まり部を備えて、
前記フラップを前記留まり部を設けた反対側の辺から前記フラップスリット部に挿入させて、前記留まり部が前記フラップスリット部の切り込みで固定されるようにする
ことを特徴とする請求項１ないし請求項３のいずれか一項に記載の楽器用ストラップ。
【考案の詳細な説明】
【技術分野】
【０００１】
本考案は、楽器を支持するための楽器用ストラップに関する。
【背景技術】
【０００２】
例えばギター、ベース等のような種類の楽器（以下、単に「ギター」と呼ぶ）を演奏する際には、一般的に、演奏者が楽器を保持する代わりにストラップと呼ばれる支持具を用いてギターを保持する。
【０００３】
ストラップはベルト状であり、その両端部には、ギター本体のショルダー部およびエンド部に設けられたストラップ装着用の突起物（以下、「ボタン」と呼ぶ）に固定するための開口部（以下、「ボタン穴」と呼ぶ）が設けられている。
【０００４】
しかし、ストラップ端部の開口部をギター本体のボタンに単に引っ掛けただけでは、演奏者によって支持されるギターの姿勢によっては、ボタン穴からボタンが容易に外れてギターが落下するという事故が生じやすい。
【０００５】
そのため、従来から、ストラップからギター本体が脱落しないようにしたストラップが知られている。
【０００６】
一例として、以下の特許文献１に記載されているように、ギター本体のボタンとストラップ側の両端部にボタン穴の代わりに、一対のコネクタを用い、ギター本体とストラップの端部とをコネクタによって着脱するようにしたストラップがある。
【０００７】
または別の一例として、以下の特許文献２に記載されているように、ストラップの端部のボタン穴にスライドする小板片を設け、ギター本体のボタンをボタン穴に差し込んだ後に小板片をスライドさせてボタン穴の径を狭めてボタンを固定するようにしたストラップがある。
【先行技術文献】
【特許文献】
【０００８】
【特許文献１】アメリカ特許公開公報  ＵＳ２００８／０１３７３８
【特許文献２】アメリカ特許公報  ＵＳ７８１８８５１
【考案の概要】
【考案が解決しようとする課題】
【０００９】
上記の従来の一例としてあげたストラップは、ギター本体側に専用コネクタを設ける必要があるため、ギター本体側のボタンとストラップとが対で使用されることが前提であり、一般的なギターでの使用ができず汎用性がなかった。
【００１０】
また、上記の従来の別の一例としてあげたストラップは、使用中にギター本体の動きによって小板片がスライドしてボタン穴が開く恐れがあり、使用中にストラップが不意にギターから外れるおそれがあった。
【００１１】
上記のように、ストラップは、演奏等の使用中にギター本体に固定するものであり、使用中に不意にギター本体から脱落しないことが強く求められるだけでなく、着脱が容易であることが求められている。
【００１２】
さらに、ストラップは、使用中のギターを支持する補助具であり、できるだけ廉価で提供されることが求められている。
【００１３】
さらに、ストラップの装着によってギター本体にダメージを与えないことが求められている。
【００１４】
本願考案は、上記の要求に鑑みてなされたものであり、容易に着脱できて使用中の脱落を効果的に防止し、かつ簡単な加工で製造可能な楽器用ストラップを提供することを目的とするものである。
【課題を解決するための手段】
【００１５】
本願において開示される楽器用ストラップは、帯状のストラップベルトの両端を楽器に結合させて該楽器を支持する楽器用ストラップであって、ストラップベルトの両端各々に設けられた、折り曲げ可能な柔軟性を有する平板状のストラップエンド部と、前記ストラップエンド部各々に設けられた、折り曲げ可能な柔軟性を有する平板状のフラップとを備える。
【００１６】
前記ストラップエンド部は、楽器に備えられたストラップ固定用のボタンを通す第１の開口部であるボタン穴と、前記ボタン穴から前記ストラップベルトとの接着辺の方向に向かう第１の切り込みであるボタン穴スリットとを有する。
【００１７】
前記フラップは、前記ボタンを通す第２の開口部であるフラップボタン穴と、前記フラップボタン穴から前記ボタン穴スリットと反対方向に向かう第２の切り込みであるフラップボタン穴スリットと、前記ストラップエンド部の上面かつ前記フラップボタン穴が前記ボタン穴と同位置となるように重ねられた状態で、前記ストラップベルトと前記ストラップエンド部とが接着する側の一辺で固定されている固着部とを有する。
【００１８】
さらに、前記楽器用ストラップは、上記の構成において、前記ストラップエンド部および前記フラップが、皮革素材により形成されていてもよい。
【００１９】
さらに、前記楽器用ストラップは、前記フラップの厚みが、前記ストラップエンド部の厚みより薄い形状であってもよい。
【考案の効果】
【００２０】
本考案に係る楽器用ストラップを、楽器に設けられたボタンにストラップエンド部とフラップのボタン穴を通して装着した場合に、楽器の姿勢に応じてストラップベルトが引き上げられ、ストラップエンド部とフラップが共に曲げられる。このストラップエンド部とフラップの曲率の差により、フラップが楽器のボタンとストラップエンド部とにより挟み込まれて、楽器のボタンがストラップエンド部の開口部（ボタン穴とボタン穴スリットにより成る開口部）を押し広げて通り抜けようとすることを抑止するので、楽器用ストラップが楽器から外れることを防止することができる。
【００２１】
また、本考案に係る楽器用ストラップを着脱する場合には、ストラップエンド部のボタン穴とボタン穴スリットによる開口部とフラップのボタン穴とフラップボタン穴スリットによる開口部とに楽器のボタンを差し込む／外すという従来と同様の操作であるため、着脱を容易に行うことができる。
【００２２】
さらに、本考案に係る楽器用ストラップは、ストラップエンド部およびフラップを皮革素材とすることにより、素材コストおよび加工コストを廉価に抑えた楽器用ストラップを提供することができる。
【００２３】
また、皮革素材のストラップエンド部およびフラップにより、装着時の楽器に対するダメージを少なくした楽器用ストラップを提供することができる。
【００２４】
さらに、本考案に係る楽器用ストラップは、ストラップエンド部およびフラップを１つの固着部により固定させることにより、簡易かつ安価な加工で製造することができる。
【図面の簡単な説明】
【００２５】
【図１】本考案の一実施例における楽器用ストラップの構造を示す図である。
【図２】本考案者が検討した、ストラップの標準的使用例を示す図である。
【図３】本考案者が検討した、図２に示す使用例での従来型のストラップの構造上の問題点を説明するための図である。
【図４】図２に示す使用例の場合にギター本体のボタンに装着されたストラップの状態を示す図である。
【図５】図４に示すＡ−Ａ'の一点鎖線における断面の例を示す図である。
【図６】本考案に係るストラップの固着部の例を示す図である。
【考案を実施するための形態】
【００２６】
以下、本考案に係る楽器用ストラップの一実施例を、図を用いて説明する。
【００２７】
図１は、本考案の一実施例における楽器用ストラップの構造を示す図である。
【００２８】
本考案の一実施例における楽器用ストラップ（以下、単に「ストラップ」とする）１は、ストラップベルト１０、２つのストラップエンド部１１、および２つのフラップ３０を備える。
【００２９】
ストラップベルト１０およびストラップエンド部１１は既知の構造を用いて実施できる。
【００３０】
ストラップベルト１０は、帯状であり、一般的に布、皮革、ポリプロピレン、ナイロン等の軟性素材で実施される。
【００３１】
ストラップエンド部１１は、ストラップベルト１０の両端にそれぞれ接着された、折曲げ可能な程度の柔軟性を持つ素材で成る平板状の部材である。ストラップエンド部１１は、一般的に皮革素材で実施される。また、ストラップエンド部１１とストラップベルト１０が同素材で一体に形成される場合もある。
【００３２】
各ストラップエンド部１１は、ボタン穴１２およびボタン穴スリット１３を備える。
【００３３】
ボタン穴１２は、円形の開口部である。
【００３４】
ボタン穴スリット１３は、ボタン穴１２からストラップエンド部１１がストラップベルト１０と接着している辺の方向に設けられた切り込みである。
【００３５】
ボタン穴１２およびボタン穴スリット１３は、ストラップエンド部１１の任意の位置に設けることができるが、ストラップエンド部１１のほぼ中央に設けることが好適である。
【００３６】
フラップ３０は、各ストラップエンド部１１にそれぞれ固定された、折曲げ可能な程度の柔軟性を持つ素材で成る平板状の部材である。
【００３７】
各フラップ３０は、フラップボタン穴３１、フラップボタン穴スリット３２および固着部３３を備える。
【００３８】
フラップボタン穴３１は、ボタン穴１２とほぼ同サイズの円形の開口部である。
【００３９】
フラップボタン穴スリット３２は、フラップボタン穴３１からボタン穴スリット１３の切り込み方向と反対方向に設けられた切り込みである。
【００４０】
フラップボタン穴３１およびフラップボタン穴スリット３２は、フラップ３０の任意の位置に設けることができるが、ほぼ中央に設けることが好適である。
【００４１】
固着部３３は、フラップ３０を、ストラップエンド部１１に固定させる部分であり、ストラップエンド部１１がストラップベルト１０に接着されている側に設けられる。
【００４２】
フラップ３０は、ストラップエンド部１１の上面に、かつ、フラップボタン穴３１がストラップエンド部１１のボタン穴１２と同じ位置になるように重ねられて、固着部３３によってストラップエンド部１１またはストラップベルト１０に固定されている。固定は、縫製、接着剤による接着加工等の既知の加工方法のいずれかにより実施すればよい。
【００４３】
ここで、ストラップエンド部１１の上面とは、ストラップ１をギター本体２０へ装着した場合にギター本体２０に接していない側の面を意味する。すなわち、ギター本体２０からみて、フラップ３０がストラップエンド部１１の外側に位置することを意味する。
【００４４】
ストラップエンド部１１でボタン穴１２およびボタン穴スリット１３によりなる開口部、および、フラップ３０でフラップボタン穴３１およびフラップボタン穴スリット３２によりなる開口部は、いずれも後述するギター本体２０に備えられた２つの突起状のボタン２１、２２を通すことが可能な大きさまで押し広げることが可能である。
【００４５】
ストラップ１を使用する場合には、使用者が、各ストラップエンド部１１のボタン穴１２とフラップ３０のフラップボタン穴３１とに、ギター本体２０のボタン２１、２２をそれぞれ通すことで、ストラップ１がギター本体２０へ装着される。
【００４６】
ここで、ボタン２１、２２は、既知の一般的な軸状の突起物であり、ギター本体２０へ接していない軸端側には軸径より大きい径の円盤状の凸部を持つ。
【００４７】
なお、使用が終わった場合には、装着時と逆の順序で、ギター本体２０のボタン２１、２２からフラップボタン穴３１、ボタン穴１２の順に押し広げてフラップ３０、ストラップエンド部１１を外すことで、ストラップ１がギター本体２０から取り外される。
【００４８】
本考案に係るストラップ１の動作原理を説明する前に、本考案者が検討した、ストラップの標準的使用例、および従来型のストラップの構造上の問題点について説明する。
【００４９】
図２は、ストラップの標準的使用例を示す図であり、図３は、図２に示す使用例での従来型のストラップの構造上の問題点を説明するための図である。
【００５０】
検討の対象とした従来型のストラップは、図１に示すストラップ１の構成要素のうち、ストラップベルト１０およびストラップエンド部１１に相当する部材のみで構成されているものである。説明をわかりやすくするため、図２および図３については、従来型のストラップの各要素を、図１に示すストラップ１の構成要素とその付番を用いて説明する。
【００５１】
図２に示す使用例では、ストラップベルト１０のストラップエンド部１１のボタン穴１２を、それぞれ、ギター本体２０のショルダー部のボタン２１、エンド部のボタン２２に引っ掛けることで、従来型のストラップがギター本体２０に装着される。
【００５２】
本考案に係るストラップ１を使用する場合は、図２では図示していないが、ストラップ１の両端のストラップエンド部１１のボタン穴１２とフラップ３０のフラップボタン穴３１を、それぞれ、ギター本体２０のボタン２１、ボタン２２に引っ掛けて、ストラップ１がギター本体２０に装着される。
【００５３】
演奏者は、ストラップベルト１０を片肩にたすき状に掛けてギター本体２０を支持し、演奏する際には、図２に示すように、ギター本体２０のネック部を水平から４５度程度の角度まで持ち上げて、ギター本体２０を立てた状態にして演奏する（立奏する）。
【００５４】
図３は、図２に示す使用例の場合に、ギター本体２０のボタン２１に装着された従来型ストラップの一端の状態を示している。
【００５５】
この場合に、ボタン２１で、ストラップベルト１０が矢印に示す方向に引っ張られるため、ストラップエンド部１１は、ギター本体２０から引きはがされる方向に力を受ける。この力により、ボタン穴１２に係っているボタン２１は、ボタン穴１２のボタン穴スリット１３を押し広げるため、ボタン２１は、容易にボタン穴１２およびボタン穴スリット１３による開口部をくぐり抜け、ストラップエンド部１１はギター本体２０から外れてしまう。ストラップエンド部１１しか備えていない従来型ストラップを用いている場合には、演奏中に不意にストラップエンド部１１がボタン穴１２から外れてギター本体２０が落下するという事故が生じる可能性があることがわかる。
【００５６】
この検討にもとづき、ボタン２１が、ボタン穴１２のボタン穴スリット１３を押し広げることを抑止できるストラップ１を本考案により実現した。
【００５７】
次に、本考案に係るストラップ１の動作原理を説明する。
【００５８】
図４は、図２に示す使用例の場合にギター本体２０のボタン２１に装着されたストラップ１の状態を示す図であり、図５は、図４に示すＡ−Ａ’の一点鎖線における断面の例を示す図である。
【００５９】
図４は、本考案に係るストラップ１の図２に示す使用例の場合にギター本体２０のボタン２１に装着されたストラップ１の状態を示している。ギター本体２０のショルダー部のボタン２１に装着されたストラップ１のストラップベルト１０は、演奏中のギター本体２０の姿勢によって矢印Ｆの方向に引っ張り力を受ける。
【００６０】
この引っ張りのため、ストラップエンド部１１は、ボタン２１と接触する部分付近のＢ点で曲げを生じる。このとき、フラップ３０もストラップエンド部１１と共に曲げられ、ストラップエンド部１１とフラップ３０はＢ点での曲率に差が生ずる。
【００６１】
しかし、フラップ３０は、固着部３３によってストラップエンド部１１またはストラップベルト１０に固定されているため、この曲率の差によるズレを逃すことができず、Ｃ点でボタン２１に押しつけられ、かつ、Ｄ点でボタン２１とストラップエンド部１１とに挟み込まれる状態となる。
【００６２】
フラップ３０のＣ点およびＤ点の状態によって、ストラップベルト１０に加わる矢印Ｆの方向の引っ張り力にかかわらず、ギター本体２０のボタン２１がストラップエンド部１１のボタン穴スリット１３を押し広げてボタン穴１２およびボタン穴スリット１３による開口部を通り抜けようとすることを抑止する。よって、ストラップ１がギター本体２０から外れ、ギター本体２０の脱落を防止することができる。
【００６３】
図６は、本考案に係るストラップ１の固着部の例を示す図である。
【００６４】
ストラップ１の別の実施例では、フラップ３０の固着部３３は、その形状や加工方法により、いくつかの異なる形態をとることができる。
【００６５】
例えば、ストラップ１を新規に製造する場合は、図６の例１（ｅｘ．１）として示すように、フラップ３０を、固着部３３を縫製によりストラップエンド部１１（またはストラップエンド部１１とストラップベルト１０の重ね合わせ）に固定させる。
【００６６】
この例１の場合、フラップ３０をストラップエンド部１１（またはストラップエンド部１１とストラップベルト１０の重ね合わせ）に固定する加工は、従来型ストラップのストラップベルトとストラップエンドとを固定する加工とほぼ同じであるので、既存の加工工程を利用してストラップ１を製造することができる。
【００６７】
また、従来型ストラップを利用してストラップ１を製造する場合は、図６の例２（ｅｘ．２）として示すように、フラップ３０およびストラップエンド部１１それぞれにほぼ同位置および同型の固定用穴４１を設け、両者の固定用穴４１を紐状の留め具４２によって固定することによって、固着部３３に代替させ、フラップ３０およびストラップエンド部１１を固定する。なお、固着部３３に代替させる加工方法は、固定用穴４１および留め具４２による固定に限らず、既存の他の固定方法を利用してもよい。
【００６８】
さらに、使用時のみフラップ３０とストラップエンド部１１とを固定するように構成する場合は、図６の例３（ｅｘ．３）として示すように、ストラップエンド部１１側にフラップ３０を固定するための専用のフラップスリット部４３を設け、フラップ３０側にフラップスリット部４３の切り込み幅以上の幅を有してフラップスリット４３を貫通しないように形成した留まり部４４を設けて、固着部３３に代替させてもよい。
【００６９】
この例３の場合に、ストラップ１の使用時に、フラップ３０を留まり部４４の反対側の辺をストラップエンド部１１のフラップスリット部４３に下面側から差し込むことにより、留まり部４４の幅でフラップ３０がストラップエンド部１１のフラップスリット部４３に引っかかり固定する。
【００７０】
図６の例１（ｅｘ．１）〜例３（ｅｘ．３）として図示する実施例においても、ストラップエンド部１１およびフラップ３０が固定されている状態では、ボタン穴１２およびフラップボタン穴３１が同位置で重なっている必要がある。
【００７１】
ストラップエンド部１１およびフラップ３０は、図１に示す構成要素を備える柔軟性を有する平板状のものであればよく、その外周の形状は、図６に図示するものに限らず任意の形状をとることができる。
【００７２】
また、ストラップエンド部１１およびフラップ３０の素材は、着脱時に、ボタン穴スリット１３およびフラップボタン穴スリット３２を押し広げて、ボタン２１、２２を、ボタン穴１２とボタン穴スリット１３による開口部およびフラップボタン穴３１とフラップボタン穴スリット３２による開口部に通すことが可能な程度の柔軟性を持つ素材であれば特に限定はされないが、ギター本体２０の表面への影響、耐久性等を考慮した場合に皮革素材が好適である。
【００７３】
ストラップエンド部１１やフラップ３０の素材として、金属やプラスチック等の硬質素材を使用した場合には、こすれ等によりギター本体を傷付ける恐れがあり、ゴム系の素材を使用した場合には、長時間の密接等によりギター本体表面のラッカー塗装などの塗装面を変質させる恐れがあるからである。
【００７４】
また、ストラップエンド部１１およびフラップ３０が皮革素材である場合には、従来の加工方法によってストラップ１を実施することができ、加工コストが高くならないというメリットがある。
【００７５】
さらに、ストラップエンド部１１およびフラップ３０の厚みについての制約はなく、フラップ３０の厚みが、ストラップエンド部１１の厚みと同じであっても、ストラップエンド部１１の厚みより薄くてもよい。具体的には、ストラップエンド部１１は、皮革素材を用いた場合、例えば２〜４ミリメートル(ｍｍ)程度［３プラス／マイナス１ミリメートル（ｍｍ）］の厚みがあればよく、フラップ３０は、同程度の厚みかストラップエンド部１１よりも若干薄くてもよく、例えば１〜３ミリメートル（ｍｍ）程度［２プラス／マイナス１ミリメートル（ｍｍ）］程度の厚みがあればよい。
【００７６】
以上説明したように、本考案に係るストラップ１によれば、ギター本体２０への装着中にストラップベルト１０がギター本体２０から引き離される力を受けることによってストラップエンド部１１とフラップ３０とが共に曲がり、両者の曲率差からフラップ３０がボタン２１とストラップエンド部１１に挟み込まれる状態が生じることを利用して、ボタン２１がボタン穴１２を押し広げて通り抜けることを抑止している。ストラップ１は、この抑止により、ストラップベルト１０がギター本体２０から外れることを防止する機能を発揮する。
【００７７】
さらに、本考案に係るストラップ１によれば、ストラップの着脱時は、ストラップエンド部１１とフラップ３０に設けた開口部にギター本体２０のボタン２１を差し込み／外すだけでよく、ストラップ１を容易に装着することができる。
【００７８】
また、本考案に係るストラップ１によれば、ストラップエンド部１１およびフラップ３０の素材として一般的な皮革素材を用いることができ、既知の加工方法で製造することができるため、ストラップ１を廉価で提供することができる。
【００７９】
さらに、本考案に係るストラップ１は、皮革素材を用いるストラップエンド部１１およびフラップ３０により、従来に比べてギター本体を傷付ける可能性を低くして、ストラップの脱落を防止することができる。
【符号の説明】
【００８０】
１  ストラップ
１０  ストラップベルト
１１  ストラップエンド部
１２  ボタン穴
１３  ボタン穴スリット
２０  ギター本体
２１  ボタン（ギター本体のショルダー部）
２２  ボタン（ギター本体のエンド部）
３０  フラップ
３１  フラップボタン穴
３２  フラップボタン穴スリット
３３  固着部
４１  固定用穴
４２  留め具
４３  フラップスリット部
４４  留まり部
【図１】
0003187179.tif 000003
【図２】
0003187179.tif 000004
【図３】
0003187179.tif 000005
【図４】
0003187179.tif 000006
【図５】
0003187179.tif 000007
【図６】
0003187179.tif 000008